(57)【要約】【課題】本発明は、作業員が作業する作業エリア部が高温化することを抑制できる塗布装置を提供する。【解決手段】塗装工場１０では、作業員５が作業する作業エリア部３１は、塗料４３が塗布されたボデー２０を乾燥する乾燥炉５１と乾燥炉５１を出たボデー２０の熱を放熱する待避エリア部５２とが設けられる階よりも下の階に設けられる。【選択図】図１
2010203169.tif 000002
【特許請求の範囲】
【請求項１】
塗布対象に塗料を塗布する塗布装置と、
前記塗料が塗布された前記塗布対象を乾燥する乾燥炉と、
前記塗布装置と前記乾燥炉とが設置されるとともに、内部空間が複数階に分けられる建物本体と、
前記乾燥炉を出た前記塗布対象の熱を冷ます待避エリア部と、
作業員が作業をする作業エリア部と
を具備し、
前記乾燥炉と前記待避エリア部とは、前記建物本体内の同じ階に設けられ、
前記作業エリア部は、前記建物本体内において前記乾燥炉と前記待避エリア部とが設けられる階よりも下の階に設けられる
ことを特徴とする多層階建造物。
【請求項２】
前記作業エリア部が形成される階の天井部において前記作業エリア部に対応する範囲の少なくとも一部は、他の範囲よりも高い
ことを特徴とする請求項１に記載の多層階建造物。
【請求項３】
前記乾燥炉は、前記塗布対象が搬入される搬入口と、前記塗布対象が搬出される搬出口とを具備し、
前記搬入口と前記搬出口とは、前記乾燥炉が設けられる階よりも下の階に開口する
ことを特徴とする請求項１または請求項２に記載の多層階建造物。
【請求項４】
前記乾燥炉と前記待避エリア部とは、前記建物本体の最上階に設けられ、
前記作業エリア部は、前記建物本体の最下階に設けられる
ことを特徴とする請求項１〜３のうちいずれいか１項に記載の多層階建造物。
【請求項５】
前記建物本体は、
前記最上階である３階部と、
前記塗布装置が設置される２階部と、
前記最下階である１階部と
を具備することを特徴とする請求項４に記載の多層階建造物。
【請求項６】
前記建物本体には、前記建物本体の外気を濾過して前記建物本体内に導入する吸気部と、前記建物本体内の空気を前記建物本体外へ排気する排気部とが設けられる
ことを特徴とする請求項１〜５に記載の多層階建造物。
【請求項７】
前記吸気部は、前記建物本体の最下階に設けられ、
前記排気部は、前記建物本体の最上階に設けられる
ことを特徴とする請求項６に記載の多層階建造部。
【請求項８】
前記排気部は、前記建物本体の天井壁部に設けられる
ことを特徴とする請求項６または請求項７に記載の多層階建造物。
【発明の詳細な説明】
【技術分野】
【０００１】
この発明は、例えば車両のボデーに塗料を塗布する塗布装置と、ボデーを乾燥する乾燥炉とが設置される多層階建造物に関する
【背景技術】
【０００２】
従来、自動車のボデーに塗料を塗布する工程としては、まず、ボデー表面に塗料を塗装する。ついで、ボデーを乾燥炉内に入れて熱により塗装を乾燥することが行われている。塗装作業は、乾燥炉を備える工場内で行われている。
【０００３】
この種の工場は、例えば複数のフロアを有しており、フロアごとで行われる作業が異なっている。例えば、１階のフロアでは、洗浄前処理工程から電着工程までが行われ、２階のフロアでは、シーリング工程から中塗り工程までが行われ、３階のフロアでは上塗り工程が行われている。この種の工場では、各フロアに乾燥炉が配置されている（例えば、特許文献１参照）。
【先行技術文献】
【特許文献】
【０００４】
【特許文献１】特開２００１−１６２２２１号公報
【発明の概要】
【発明が解決しようとする課題】
【０００５】
一方、乾燥炉内は、ボデー表面の塗料を乾燥するために高温である。このため、乾燥炉を出たボデーの温度が高温となり、工場内には、その高温となったボデーが溜まる待避エリア部が生じることとなる。また、ボデーに塗料が塗装されると、当該塗装作業が適正に行われたか否かを確認する作業が必要となる。この確認作業は、作業員によって行われる。特許文献１に開示されるように、各フロアに乾燥炉が設けられる構造であると、各フロアに待避エリア部と作業員が確認作業を行う作業エリア部とが設けられることになる。
【０００６】
図２は、従来の一般的な塗料塗装工場内の１つのフロア２００内を概略的に示す平面図である。なお、図２は、特許文献１の構造を示すものではない。図２は、一例として、塗布エリア部２０５で塗布装置２０６によってボデー２０１に塗料を塗装した後、当該ボデー２０１を乾燥炉２０２にて乾燥し、ついで、当該ボデーを待避エリア部２０３内で冷却し、ついで、作業エリア部２０４で作業員による確認作業が行われる様子を示している。
【０００７】
図２に示されるように、従来では、塗料の塗布から確認作業までの１連の作業を１つのフロアで行うので、当該１つのフロア内に、高温となる乾燥炉と待避エリア部と、作業エリア部とが配置されることになる。この結果、乾燥炉と待避エリア部とからの放熱によって、作業エリア部の温度が高くなる傾向にある。
【０００８】
作業エリア部の温度が高くなることによって、作業環境が悪くなる。また、作業環境を改善すべく作業エリア部内を作業員にとって作業しやすい温度に保つために用いられる空調装置においては、当該空調装置で消費されるエネルギ量が多くなる。
【０００９】
このため、作業員が作業をする作業エリア部の温度が高くなることは、作業環境の悪化につながるとともに空調装置で消費されるエネルギ量の増加につながるので、好ましくない。
【００１０】
本発明の目的は、作業員が作業する作業エリア部が高温化することを抑制できる多層階建造物を提供することである。
【課題を解決するための手段】
【００１１】
本願の請求項１に記載の多層階建造物は、塗布対象に塗料を塗布する塗布装置と、前記塗料が塗布された前記塗布対象を乾燥する乾燥炉と、前記塗布装置と前記乾燥炉とが設置されるとともに、内部空間が複数階に分けられる建物本体と、前記乾燥炉を出た前記塗布対象の熱を冷ます待避エリア部と、作業員が作業をする作業エリア部とを備える。前記乾燥炉と前記待避エリア部とは、前記建物本体内の同じ階に設けられ、前記作業エリア部は、前記建物本体内において前記乾燥炉と前記待避エリア部とが設けられる階よりも下の階に設けられる。
【００１２】
本願の請求項２に記載の多層階建造物では、請求項１に記載の多層階建造物において、前記作業エリア部が形成される階の天井部において前記作業エリア部に対応する範囲の少なくとも一部は、他の範囲よりも高い。
【００１３】
本願の請求項３に記載の多層階建造物は、請求項１または請求項２に記載の多層階建造物において、前記乾燥炉は、前記塗布対象が搬入される搬入口と、前記塗布対象が搬出される搬出口とを備える。前記搬入口と前記搬出口とは、前記乾燥炉が設けられる階よりも下の階に開口する。
【００１４】
本願の請求項４に記載の多層階建造物では、請求項１〜３に記載の多層階建造物において、前記乾燥炉と前記待避エリア部とは、前記建物本体の最上階に設けられ、前記作業エリア部は、前記建物本体の最下階に設けられる。
【００１５】
本願の請求項５に記載の多層階建造物では、請求項４に記載の多層階建造物において、前記建物本体は、前記最上階である３階部と、前記塗布装置が設置される２階部と、前記最下階である１階部とを備える。
【００１６】
本願の請求項６に記載の多層階建造物では、請求項１〜５に記載の多層階建造物において、前記建物本体には、前記建物本体の外気を濾過して前記建物本体内に導入する吸気部と、前記建物本体内の空気を前記建物本体外へ排気する排気部とが設けられる。
【００１７】
本願の請求項７に記載の多層階建造物では、請求項６に記載の多層階建造物において、前記吸気部は、前記建物本体の最下階に設けられ、前記排気部は、前記建物本体の最上階に設けられる。
【００１８】
本願の請求項８に記載の多層階建造物では、請求項６または請求項７に記載の多層階建造物において、前記排気部は、前記建物本体の天井壁部に設けられる。
【発明の効果】
【００１９】
本発明の塗布装置は、乾燥炉と待避エリア部とが設けられる階と、作業エリア部が設けられる階とが異なることによって、放熱が著しい乾燥炉と待避エリア部が、作業エリア部から離れて配置される。
【００２０】
このため、作業員が作業する作業エリア部が高温化することを抑制することができるので、作業環境を向上するとともに空調装置で消費されるエネルギ量を小さく抑えることができる。
【００２１】
また、作業エリア部が設けられる階を乾燥炉と待避エリア部とが設けられる階よりも下の階にすることによって、乾燥炉と待避エリア部とからの放熱が作業エリア部に影響することがより一層抑制され、それゆえ、作業エリア部が高温化することがより一層抑制される。
【００２２】
また、作業エリア部が形成される階の天井部において作業エリア部に対応する範囲の少なくとも一部を他の部位よりも高くすることによって、作業エリア部に高温の空気が流入しても、当該高温の空気は作業エリア部の上方に移動する。このため、高温の空気の作業員への影響を小さく抑えることができる。
【００２３】
また、乾燥炉の搬入口部と搬出口部とが乾燥炉が設けられる階よりも下の階に開口することによって、搬入口部と搬出口部とが、高温となる乾燥炉の内部に対して下方に位置することになる。このことによって、乾燥炉内の高温の熱が搬入口部と搬出口部とを通して外部に放出されにくくなるので、当該熱による作業エリア部への影響を小さく抑えることができる。
【００２４】
また、乾燥炉と待避エリア部とが最上階に設けられるとともに作業エリア部が最下階に設けられることによって、建物本体内において乾燥炉および待避エリア部と作業エリア部との距離を最大に離すことができるので、乾燥炉と待避エリア部からの放熱の影響をより一層小さく抑えることができる。このため、作業エリア部が高温化することをより一層抑えることができる。
【００２５】
また、建物本体を３階構造として、１階部に作業エリア部を設け、２階部に塗布装置を設置し、３階部に乾燥炉と待避エリア部が設けることによって、作業エリア部が高温化することを抑制しつつ塗装ラインを短くすることができる。
【００２６】
また、建物本体に吸気部と排気部とを設けるとともに、外気を濾過して建物本体内に導入するという積極的な換気を行うことによって、建物本体の例えば周壁部などの隙間から外気が流入するこが抑制されるので、外気に含まれる埃や塵などが建物本体内に流入することが抑制される。このため、塗装ライン内の防塵効果を向上することができる。
【００２７】
また、吸気部を最下階に設けかつ排気部を最上階に設けることによって、最下階から最上階までの空気の流れを作り、建物本体内の熱をスムーズに外に放出することができる。さらに、最下階から最上階までの一方通行の空気の流れによって、建物本体内の埃や塵が塗装ライン内で循環することが抑制されるので、塗装ラインの防塵効果が向上する。
【００２８】
また、排気部を最上階の天井壁部に設けることによって、建物本体内の空気を、高温の空気の性質を利用してスムーズに建物本体外上方へ排出することができる。このことによって、建物本体外側方に設けられる吸気部からも熱を持った排気を吸気することなく、スムーズに外気吸気されるようになり、それゆえ、熱による影響を抑制して、建物本体内の換気がスムーズに行われるようになる。
【図面の簡単な説明】
【００２９】
【図１】本発明の一実施形態に係る多層階建造物の一例である塗装工場の内部を概略的に示す断面図。
【図２】従来の塗装工場を概略的に示す平面図。
【発明を実施するための形態】
【００３０】
本発明の一実施形態に係る多層階建造物を、図１を用いて説明する。図１は、本発明の多層階建造物の一例である塗装工場１０と、当該塗装工場１０の内部を概略的に示す断面図である。塗装工場１０は、車両のボデー２０に塗料を塗布する。ボデー２０は、本発明で言う塗布対象の一例である。
【００３１】
図１に示すように、塗装工場１０は、建物本体１９と、乾燥炉５１と、塗布装置４１とを備えている。
【００３２】
建物本体１９は、周壁部１２と天井壁部１３を備えており、塗装工場１０の外観を規定している。建物本体１９は、３階建て構造であって、１階部３０と、２階部４０と、３階部５０とを備えている。１階部３０は、最下階となる。３階部５０は、最上階となる。本発明では、１階部３０から３階部５０まで重なる方向を上下方向とする。本実施形態では、上下方向は、一例として重力の作用する方向と平行であり、重力の作用する方向を下方向とする。
【００３３】
ついで、各階について説明する。  
まず、１階部３０について説明する。１階部３０は、第１のフロア１１と、第１の天井壁部３２とによって規定されている。１階部３０には、作業エリア部３１が設けられている。作業エリア部３１では、後述される塗布装置４１によって塗料が塗布されるとともに乾燥炉５１によって塗料が乾燥された後のボデー２０の確認作業と、当該ボデー２０を磨く作業である。これらの作業は、作業員５によって行われる。
【００３４】
なお、上記した確認作業と磨き作業とは、本発明で言う作業員による作業の一例である。作業員による作業は、上記に限定されない。乾燥炉５１にて塗料が乾燥されたボデー２０に対して作業員が行うことが必要な他の作業が行われてもよい。
【００３５】
周壁部１２において１階部３０に対応する部分には、吸気部６０が設けられている。吸気部６０は、周壁部１２に形成される吸気口６１と、当該吸気口６１に設けられるフィルタ６２とを備えている。
【００３６】
塗装工場１０の外の空気（外気）は、吸気口６１を通った後、フィルタ６２によって濾過されてから塗装工場１０内に導入される。このため、塗装工場１０内に導入される外気は、フィルタ６２によって濾過されており、それゆえ、外気にもともと含まれる塵やほこりなどが捕集されてクリーンな状態である。
【００３７】
フィルタ６２は、導入される外気を濾過するために一例として用いられる。このため、吸気部６０は、フィルタ６２を用いることだけに限定されない。吸気部６０は、外気を濾過して塵やほこりを除去してクリーンな外気を導入できる機能を有すればよい。
【００３８】
図に示すように、本実施形態では、作業エリア部３１は、吸気部６０とは反対側に配置されている。また、１階部３０には、当該１階部３０を作業員５が作業しやすい温度に調整するための空調装置１００が設けられている。
【００３９】
第１の天井壁部３２において作業エリア部３１に対応する範囲３３は、他の範囲３４に対して上方に突出している。範囲３３は、上下方向に作業エリア部３１に対向する範囲を示している。範囲３３が上方に突出することによって、作業エリア部３１内の暖かい空気は、範囲３３内に溜まるようになる。
【００４０】
なお、本実施形態で範囲３３の全域が突出しているが、これに限定されない。範囲３３の少なくとも一部が突出構造であっても、同様の作用が得られる。
【００４１】
ついで、２階部４０について説明する。２階部４０は、第２のフロア１４と、第２の天井壁部４４とによって規定されている。２階部４０には、塗布装置４１が設置されている。塗布装置４１は、ボデー２０に塗料４３を噴射する。
【００４２】
２階部４０において塗料４３が塗布されるエリア部（本実施形態では塗布装置４１が配置されるエリア部）は、塗布エリア部４２となっている。塗布エリア部４２は、作業エリア部３１とは反対側に配置されている。
【００４３】
なお、塗装工場１０には、塗装工場１０の外から２階部４０の塗布エリア部４２までボデー２０を搬送する図示しない搬送手段が設けられている。当該搬送手段によって、塗料が塗布される前のボデー２０が塗布エリア部４２（塗布装置４１）に導かれる。
【００４４】
また、１階部３０の第１の天井壁部３２において作業エリア部３１に対応する範囲３３は、他の範囲３４に対して上方に突出している。このため、２階部４０の第２のフロア１４において第１の天井壁部３２と重なる部分も上方に突出している。
【００４５】
ついで、３階部５０について説明する。３階部５０は、第３のフロア１５と、天井壁部１３とによって規定されている。３階部５０には、乾燥炉５１と、待避エリア部５２とが設けられている。乾燥炉５１は、塗布装置４１によって塗布された塗料４３を乾燥させる。乾燥炉５１は、３階部５０において塗布エリア部４２と上下方向に重なる位置に配置されている。
【００４６】
乾燥炉５１は、塗料が塗布されたボデー２０を乾燥炉５１の内部に搬入する搬入口５３と、乾燥炉５１によって塗料が乾燥されたボデー２０を乾燥炉５１の外へ搬出する搬出口５４とを備えている。搬入口５３と搬出口５４とは、第３のフロア１５を通して２階部４０に向かって開口している。
【００４７】
このように、乾燥炉５１が３階部５０に配置されるとともに搬入口５３と搬出口５４とが２階部４０に向かって開口することによって、搬入口５３と搬出口５４とは、高温となる乾燥炉５１の内部に対して下方に位置するようになり、それゆえ、乾燥炉５１内の高温の熱が搬入口５３と搬出口５４とから放出されることが抑制される。
【００４８】
３階部５０において、乾燥炉５１の反対側には、待避エリア部５２が設けられている。待避エリア部５２内には、ボデー２０が移動する移動ルートが設けられている。待避エリア部５２内に搬入されたボデー２０は、上記移動ルートに沿って、所定時間、待避エリア部５２内を移動する。ボデー２０は、待避エリア部５２内を移動することによって、乾燥炉５１による潜熱を放出する。ボデー２０が待避エリア部５２内を移動する時間は、ボデー２０と後述される搬送台車７０とが充分に冷まされるように設定されている。
【００４９】
天井壁部１３には、本発明で言う排気部の一例である排気口１６が複数形成されている。塗装工場１０内の空気は、排気口１６より塗装工場１０の外へ排気される。なお、排気口１６には、塗装工場１０の外から塵やほこりが侵入することを防止するためにフィルタなど濾過機能を有する部材が設けられてもよい。この場合、本発明で言う排気部は、排気口１６と、上記されたフィルタなど濾過機能を有する部材とによって構成される。
【００５０】
第３のフロア１５には、２階部４０から待避エリア部５２にボデー２０を搬送する際と、待避エリア部５２から１階部３０の作業エリア部３１にボデー２０を搬送する際とに用いられる第１の搬送口１７が設けられている。第１の搬送口１７は、乾燥炉５１と待避エリア部５２との間に配置されている。２階部４０と３階部５０との間には、ボデー２０を３階部５０に搬送する図示しない搬送手段が設けられている。当該搬送手段の一例は、エレベータやコンベアなどである。
【００５１】
２階部４０の第２のフロア１４において上下方向に第１の搬送口１７と重なる位置には、第２の搬送口１８が設けられている。ボデー２０は、第２の搬送口１８を通って作業エリア部３１へ搬送される。１階部３０と３階部５０との間には、３階部５０から１階部３０までボデー２０を搬送する図示しない搬送手段が設けられている。当該搬送手段の一例は、エレベータなどである。
【００５２】
ついで、塗装工場１０の動作を説明する。まず、塗料４３が塗布される前のボデー２０は、上記した図示しない搬送手段によって、塗布エリア部４２（塗布装置４１）まで導かれる。塗布装置４１によって塗料４３が塗布されたボデー２０は、搬入口５３を通って乾燥炉５１内に搬入される。この際、ボデー２０は、搬送台車７０上に載置される。ボデー２０の第１〜３のフロア１１，１４，１５上の移動や、乾燥炉５１内の移動は、搬送台車７０によって行われる。
【００５３】
乾燥炉５１内で塗料４３が乾燥されたボデー２０は、搬出口５４より２階部４０へ搬出された後、３階部５０の待避エリア部５２に導かれる。待避エリア部５２に導かれたボデー２０は、待避エリア部５２内を所定時間移動することによって、乾燥炉５１による潜熱を放出する。このとき、搬送台車７０の潜熱も同時に放出される。
【００５４】
ついで、潜熱を放出して冷やされたボデー２０と搬送台車７０とは、待避エリア部５２から１階部３０の作業エリア部３１に導かれる。作業エリア部３１では、作業員５がボデー２０の確認、および、確認後異常がないと認められたボデー２０の磨き作業などを行う。
【００５５】
塗装工場１０内には、暖かい空気の性質によって、３階部５０に向かう空気の流れが生じ、それゆえ、１階部３０の圧力が３階部５０に比べて低くなる。この結果、１階部３０の圧力が塗装工場１０の外の圧力に対して負圧になる場合がある。
【００５６】
１階部３０内の圧力が、塗装工場１０の外の圧力に対して負圧になると、１階部３０に設けられる吸気部６０を通して塗装工場１０の外から外気が塗装工場１０内に導入される。吸気部６０を通して流入したクリーンな外気は、塗装工場１０内を１階部３０から３階部５０まで流れた後、排気口１６から外へ排出される。このときの工場内の空気の流れＦは、図１中１点鎖線で示すように、吸気部６０から排気口１６まで一方向の流れとなる。
【００５７】
このように構成される塗装工場１０では、高温になりやすい乾燥炉５１と待避エリア部５２とが３階部５０に設けられるとともに、作業員５が作業する作業エリア部３１が１階部３０に設けられている。つまり、高温になりやすい乾燥炉５１と待避エリア部５２とが設けられる階と、作業エリア部３１が設けられる階とが異なる。
【００５８】
このことによって、乾燥炉５１と待避エリア部５２の熱によって作業エリア部３１が高温になることが抑制されるので、作業エリア部３１の作業環境が向上するとともに、作業エリア部３１を作業員に対して作業しやすい温度にするべく用いられる空調装置１００で消費されるエネルギ量を小さく抑えることができる。
【００５９】
また、作業エリア部３１が設けられる階が、乾燥炉５１と待避エリア部５２が設けられる階よりも下の階になるので、乾燥炉５１の熱と待避エリア部５２の熱とによる下の階の作業エリア部３１への影響がより一層小さくなる。このため、作業エリア部３１の温度上昇をより一層抑制することができる。
【００６０】
また、第１の天井壁部３２において作業エリア部３１に対応する範囲３３が上方に突出することによって、作業エリア部３１の空間が高くなる。このため、作業エリア部３１内に高温の空気が流入しても、当該高温の空気は第１の天井壁部３２において上方に突出する部分に溜まるようになる。
【００６１】
この結果、作業エリア部３１内において実際に作業員５が作業する高さの空気の温度が高くなることが抑制され、それゆえ、作業環境が向上するとともに空調装置１００で消費されるエネルギを小さく抑えることができる。
【００６２】
本実施形態では、範囲３３の全域が高くなる構造であるが、これだけに限定されない。例えば、範囲３３の少なくとも一部が高くなることによって、同様の効果を得ることができる。
【００６３】
また、乾燥炉５１は、搬入口５３と搬出口５４とが２階部４０に向かって開口しており、それゆえ搬入口５３と搬出口５４とが乾燥炉５１の本体よりも下方に位置する。このため、乾燥炉５１内の熱が搬入口５３と搬出口５４とから放出されることが抑制される。この結果、塗装工場１０内の温度が高くなることが抑制され、それゆえ、作業エリア部３１の温度が高くなることが抑制される。
【００６４】
また、高温になりやすい乾燥炉５１と待避エリア部５２とが最上階に設けられるとともに、作業エリア部３１が最下階に設けられることによって、建物本体１９内において乾燥炉５１および待避エリア部５２と作業エリア部３１との距離を最大に離すことができるので、乾燥炉５１と待避エリア部５２の熱の影響をより一層小さく抑えることができる。このため、作業エリア部３１が高温化することをより一層抑えることができる。
【００６５】
また、塗装工場１０が３階建構造であるとともに２階部４０に塗布装置４１が設置されることによって、作業エリア部３１の温度が向上することを抑制しつつ、ボデー２０への塗料４３の塗布から作業エリア部３１までの塗装ライン１５０を短くすることができる。この結果、塗装工場１０をコンパクトにすることができる。
【００６６】
また、吸気部６０を設けてクリーンな外気を建物本体１９内に導入するようにすることによって、塗装工場１０内の圧力が外の圧力よりも低下した場合であっても例えば周壁部１２に形成される隙間から外気が侵入することが抑制される。
【００６７】
隙間から外気が侵入する場合、同時に埃や塵が塗装工場１０内に侵入することになる。しかしながら、吸気部６０を設けることによって隙間からの外気の侵入が抑制されるので、外から埃や塵が侵入することが抑制される。
【００６８】
また、吸気部６０が最下階である１階部３０に設けられるとともに排気口１６が最上階である３階部５０に設けられることによって、塗装工場１０内への塵や埃の侵入を抑制するとともに塗装工場１０内の埃や塵による塗装ライン１５０への影響を抑制しつつ、塗装工場１０内の換気をスムーズに行うことができる。
【００６９】
この点について具体的に説明する。塗装工場１０内には、暖かい空気の性質によって１階部３０から３階部５０に向かう空気の流れが生じる。最下階から最上階への空気の流れが作られるので、塗装工場１０内の熱を外にスムーズに排出することができる。さらに、最下階から最上階まで一方通行の空気の流れができるので、塗装工場１０内で埃や塵が循環することが抑制され、それゆえ、塗装ライン１５０への埃や塵の影響を小さくすることができる。
【００７０】
さらに、塗装工場１０内では３階部５０に比べて１階部３０の圧力が小さくなり、それゆえ、１階部３０が外（塗装工場１０の外）に比べて負圧になることがある。１階部３０に吸気部６０を設けることによって、１階部３０に生じる負圧を利用してフィルタ６２によって濾過されたクリーナな外気が積極的導入されるので、周壁部１２に形成される隙間などから外気が導入されることが効果的に抑制される。この結果、塗装工場１０内にほこりや塵が導入されることが効果的に抑制される。
【００７１】
また、排気口１６が天井壁部１３に設けられることによって、最下階から最上階へ向かう空気の流れを大きく変更することなく、当該空気が排気口１６より外へ排出される。このため、塗装工場１０内の空気がスムーズに外に排出されるので、吸気部６０を通して外の空気がスムーズに塗装工場１０内に流入するようになり、それゆえ、塗装工場１０内の換気がスムーズに行われるようになる。この結果、作業エリア部３１を含む塗装工場１０内の作業環境が向上する。
【００７２】
さらに、塗装工場１０内の空気は、天井壁部１３から外側上方へ排出される。このため、塗装工場１０から排出された温度の高い排気が再び吸気部１６から吸気されることがないので、当該排気の熱による影響を抑制することができる。
【００７３】
なお、例えば冬場など作業エリア部３１内の温度が低下し、それゆえ作業環境が悪くなるような場合では、乾燥炉５１から放出される熱や待避エリア部５２内でボデー２０や搬送台車７０から放出される熱を作業エリア部３１内の暖房のために再利用することによって、空調装置１００で消費されるエネルギ量を小さく抑えることができる。
【００７４】
なお、本実施形態では、本発明で言う多層階建造物の一例である塗装工場１０は、１〜３階３０，４０，５０を備えているが、例えば、塗布装置は、１〜４階や１〜５階などの他の複数階を備える構造であってもよい。
【００７５】
このように他の複数階を備える構造であっても、作業エリア部が形成される階と、乾燥炉と待避エリア部とが設けられる階とが異なることによって、以下の構造を有することによって、本実施形態と同様の効果が得られる。
【００７６】
作業エリア部が形成される階が、乾燥炉と待避エリア部とが形成される階よりも下の階であることによって、作業エリア部の温度上昇を抑制できる。この構造の他の例としては、例えば、５階建構造の場合、４階に乾燥炉と待避エリア部とが形成されて２階に作業エリア部とが形成されてもよい。
【００７７】
天井部において作業エリア部に対応する範囲の少なくとも一部を他の範囲よりも高くすることによって、作業エリア部の作業環境の悪化を抑制できる。この構造の他の例としては、例えば５階建構造の場合、作業エリア部が１階部ではなく例えば２階など他の階に形成される場合であっても、天井部が上記のように高くなることによって、作業エリア部の作業環境が悪化することが抑制される。
【００７８】
搬入口と搬出口とが乾燥炉よりも下の階に開口することによって、作業エリア部の温度上昇を抑制できる。この構造の他の例として、例えば５階建構造の場合、４階に乾燥炉が設けられる場合では、搬入口と搬出口とは３階に開口する。
【００７９】
乾燥炉と待避エリア部とが最上階に設けられ、かつ、作業エリア部が最下階に設けられることによって、作業エリア部の温度上昇を抑制できる。この構造の他の例として、例えば５階建構造の場合、５階に乾燥炉と待避エリア部とが形成され、１階に作業エリア部が形成される。
【００８０】
吸気部と排気部とが形成されることによって、防塵効果が向上する。
【００８１】
吸気部を最下階に設け、排気部を最上階に設けられことによって、換気をスムーズに行えるとともに、防塵効果が向上する。この構造の他の例として、例えば５階建構造の場合、１階に吸気部が形成され、５階に排気部が形成される。
【００８２】
排気部を建物本体の天井壁部に設けることによって、建物本体の換気がスムーズに行われる。
【００８３】
また、本実施形態では、塗布対象の一例としてボデー２０が用いられたがこれに限定されない。多層階建造物は、他の塗布対象に塗料を塗布することができる。
【００８４】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【符号の説明】
【００８５】
１０…塗布工場（多層階建造物）、１３…天井壁部、１６…排気口（排気部）、１９…建物本体、２０…ボデー（塗布対象）、３０…１階部（最下階）、３１…作業エリア部、３３…作業エリア部に対応擦る範囲、４０…２階部、４１…塗布装置、４３…塗料、５０…３階部（最上階）、５１…乾燥炉、５２…待避エリア部、５３…搬出口、５４…搬入口、６０…吸気部。
【図１】
2010203169.tif 000003
【図２】
2010203169.tif 000004